(57)【要約】【課題】テープ幅及びリール間隔の異なる２種類のテープカセットに対してデータを記録または再生する磁気記録再生装置を提供する。【解決手段】供給側リール台（１１ａ）と、巻取側リール台（１１ｂ）とを、共通の支軸（１３）で揺動可能に枢着し、移動機構（９０）の作動によって、両リール台（１１ａ，１１ｂ）のリール間隔が、８ｍｍカセット（２）のリール間隔をなす状態と、ＤＤＳカセット（１）のリール間隔をなす状態とを切り換える。【選択図】図４
2005044483.tif 000002
【特許請求の範囲】
【請求項１】
第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に用いる磁気記録再生装置において、
前記第１または第２の供給リールを駆動する供給側リール台、および前記第１または第２の巻取リールを駆動する巻取側リール台はいずれも、扁平型リールモータのステータと一体となったステータ基板と、扁平型リールモータのロータと一体となったリール台本体とで構成され、
上端にリール駆動爪を取り付けた前記扁平型リールモータのリールシャフトは、ステータ基板およびリール台本体の中空部内を上下に移動可能で、作動部材により上昇または下降させることで、前記第１のテープカセットの供給リールまたは巻取リールに対応する高さと、前記第２のテープカセットの供給リールまたは巻取リールに対応する高さとを選択的に切り換え可能に構成したことを特徴とする磁気記録再生装置。
【請求項２】
前記第１のテープカセットにおける磁気テープのテープ幅上端と、前記第２のテープカセットにおける磁気テープのテープ幅上端とが同一高さとなるように、前記作動部材による前記リールシャフトの上昇位置または下降位置を設定することを特徴とする請求項１記載の磁気記録再生装置。
【請求項３】
前記第１の磁気テープまたは前記第２の磁気テープを所定角度で巻き付ける回転ドラムと、
前記第１の磁気テープを前記回転ドラムに対して第１の角度で巻き付け、前記第２の磁気テープを前記第１の角度よりも大きい第２の角度で巻き付けるよう、前記第１の磁気テープまたは前記第２の磁気テープをローディングするローディング手段と、
前記第１の磁気テープに第１のフォーマットにて記録されたデータを再生する再生手段と、
前記第２の磁気テープに第２のフォーマットにてデータを記録すると共に、前記第２の磁気テープに前記第２のフォーマットにて記録されたデータを再生する記録再生手段とを備えて構成したことを特徴とする請求項１または２記載の磁気記録再生装置。
【請求項４】
前記回転ドラムに連接して設けられ、外周部に前記回転ドラムの外周面上の下端部からの距離が周方向の位置に応じて可変するよう曲線状にリードが形成された固定ドラムと、
前記リードが前記第１の磁気テープ及び前記第２の磁気テープそれぞれの下端部を位置規制するよう、前記第１のテープカセットを用いるか前記第２のテープカセットを用いるかに応じて、前記固定ドラムを周方向に所定角度だけ回動させるリードシフト機構とをさらに備えて構成したことを特徴とする請求項１〜３のいずれかに記載の磁気記録再生装置。
【請求項５】
前記第１のフォーマットはＤＤＳフォーマットであることを特徴とする請求項３または４記載の磁気記録再生装置。
【発明の詳細な説明】
【技術分野】
【０００１】
本発明は、テープ幅及びリール間隔の異なる２種類のテープカセットに対してデータを記録または再生する磁気記録再生装置に関する。
【背景技術】
【０００２】
コンピュータのデータをバックアップするためのデータストレージ装置の１つとして、ＤＤＳフォーマットがある。ＤＤＳフォーマットは、テープ幅３．８ｍｍのＤＡＴ（デジタルオーディオテープ）カセットを用いたものである。近年、コンピュータのデータは、情報量が飛躍的に増加している。テープカセットの磁気テープ（以下、単にテープ）に、より多くの情報を記録するには、テープの記録密度を上げる必要がある。しかしながら、飛躍的に情報量が増加すると、テープの記録密度を上げることによってその情報量の増加に対応するには、限界がある。
【０００３】
例えば、従来の磁気記録再生装置ではＤＶＣ規格のカセットに見られるように、同じ幅のテープを使っているが、リール間距離を変えることでテープの巻込み容量の異なる数種類の大きさのカセットが用意されている。これらは記録フォーマットの規格段階から複数の容量のテープカセットを装着する記録再生装置を想定した上で、カセットの規格が作られている。
【０００４】
また、リール間距離の違いに対してはリール台が直線的に移動するものが提案されている。さらに、テープ幅の異なるテープカセットに対応した記録再生装置も提案されてはいるが、これはテープの下端を基準にしてローディングするものであった。
【特許文献１】特開平７−５７４２２号公報
【発明の開示】
【発明が解決しようとする課題】
【０００５】
ＤＤＳフォーマットにおいても、テープ幅の狭いテープカセットを使用しているため、膨大な情報量を有するコンピュータのデータを記録することが困難になってきている。そこで、膨大な情報量のデータを記録するには、テープ幅の広いテープカセットを用いた他のフォーマットのデータストレージ装置を用いる以外に解決策はない。
【０００６】
ところが、ＤＤＳフォーマットよりもテープ幅の広いテープカセットを用いた既存のデータストレージ装置は、当然のことながら、ＤＤＳフォーマットのテープ幅の狭いテープカセットを再生することができない。従って、ＤＤＳフォーマットのデータストレージ装置を使用しているユーザは、過去のデータを再生するためにＤＤＳフォーマットのデータストレージ装置を所有し続けると共に、近年の膨大な情報量のデータを記録するため、テープ幅の広いテープカセットを用いた他のフォーマットのデータストレージ装置を所有しなければならない。このようなことはユーザにとっては好ましいことではなく、その解決が切に望まれていた。
【０００７】
例えば、テープ幅もカセットケースの厚さ寸法も異なるテープカセットを装着し記録再生する装置を実現しようとしたときに、テープローディング時のテープの高さはテープの上端か下端のいずれかをあわせる必要がある。
【０００８】
テープの下端を合わせる場合はリール台高さの問題は発生しないが、テープローディングの点で困難が発生する。それは回転ヘッドドラムの固定側ドラムにはリード加工が施されていてテープの下端を支え、ヘッドドラムの入口と出口ではテープの上端を規制することがテープの安定走行に求められることであり、テープ幅に応じて専用のガイドローラを選択してヘッドドラムの入口出口までローディングすることになる。テープカセットが装着されるときに、幅広のガイドローラは幅の小さいテープカセットのマウス内には納まらないため装着時には必ずマウスから外れる動作が必要であり、ローディングメカニズムは極めて困難を生じる。
【０００９】
一方、テープ上端をあわせた場合は前述の問題は逃れる代わりに、幅の小さいテープがヘッドドラムに巻き付いている部分のリードの高さを上げる必要があり、これは固定側ドラムを回転させるという手段で解決できる。もうひとつはテープカセットが装着された場合に、リールフランジの高さが異なる点で、小カセットの方が大カセットよりもリールハブの中心が高い位置にあり、大カセットのリールハブに対してはハブ内に深く潜ることになり、ハブ構造に無理が生じる。もうひとつは、リール台の駆動爪の高さを小カセットに合わせて高くするということは、大カセットがカセットハウジングを介して装着される場合にそれだけ高い位置から挿入されることになり、結果的にカセットハウジングを含めた装置全体の高さが厚くなるという問題がある。
【００１０】
本発明はこのような問題点に鑑みなされたものであり、リール駆動爪の高さを小カセットに合わせて高くし、大カセットに合わせて低くすることで、装置全体の高さを抑えることができる磁気記録再生装置を提供することを目的とする。
【課題を解決するための手段】
【００１１】
本発明は、上述した従来の技術の課題を解決するものであって、請求項１に係る発明は、第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に用いる磁気記録再生装置において、前記第１または第２の供給リールを駆動する供給側リール台、および前記第１または第２の巻取リールを駆動する巻取側リール台はいずれも、扁平型リールモータのステータと一体となったステータ基板と、扁平型リールモータのロータと一体となったリール台本体とで構成され、上端にリール駆動爪を取り付けた前記扁平型リールモータのリールシャフトは、ステータ基板およびリール台本体の中空部内を上下に移動可能で、作動部材により上昇または下降させることで、前記第１のテープカセットの供給リールまたは巻取リールに対応する高さと、前記第２のテープカセットの供給リールまたは巻取リールに対応する高さとを選択的に切り換え可能に構成した磁気記録再生装置である。
【００１２】
請求項２に係る発明は、請求項１記載の発明において、前記第１のテープカセットにおける磁気テープのテープ幅上端と、前記第２のテープカセットにおける磁気テープのテープ幅上端とが同一高さとなるように、前記作動部材による前記リールシャフトの上昇位置または下降位置を設定する磁気記録再生装置である。
【００１３】
請求項３に係る発明は、請求項１または２記載の発明において、前記第１の磁気テープまたは前記第２の磁気テープを所定角度で巻き付ける回転ドラムと、前記第１の磁気テープを前記回転ドラムに対して第１の角度で巻き付け、前記第２の磁気テープを前記第１の角度よりも大きい第２の角度で巻き付けるよう、前記第１の磁気テープまたは前記第２の磁気テープをローディングするローディング手段と、前記第１の磁気テープに第１のフォーマットにて記録されたデータを再生する再生手段と、前記第２の磁気テープに第２のフォーマットにてデータを記録すると共に、前記第２の磁気テープに前記第２のフォーマットにて記録されたデータを再生する記録再生手段とを備えて構成した磁気記録再生装置である。
【００１４】
請求項４に係る発明は、請求項１〜３のいずれかに記載の発明において、前記回転ドラムに連接して設けられ、外周部に前記回転ドラムの外周面上の下端部からの距離が周方向の位置に応じて可変するよう曲線状にリードが形成された固定ドラムと、前記リードが前記第１の磁気テープ及び前記第２の磁気テープそれぞれの下端部を位置規制するよう、前記第１のテープカセットを用いるか前記第２のテープカセットを用いるかに応じて、前記固定ドラムを周方向に所定角度だけ回動させるリードシフト機構とをさらに備えて構成した磁気記録再生装置である。
【００１５】
請求項５に係る発明は、請求項３または４記載の発明において、前記第１のフォーマットはＤＤＳフォーマットである磁気記録再生装置である。
【発明の効果】
【００１６】
本発明の磁気記録再生装置は、第１のテープ幅を有する第１の磁気テープを第１の供給リールと第１の巻取リールとの間に張架し、前記第１の供給リールと前記第１の巻取リールとが第１のリール間隔をなす第１のテープカセットと、前記第１のテープ幅より幅の広い第２のテープ幅を有する第２の磁気テープを第２の供給リールと第２の巻取リールとの間に張架し、前記第２の供給リールと前記第２の巻取リールとが前記第１のリール間隔よりも広い第２のリール間隔をなす第２のテープカセットとを選択的に用いる磁気記録再生装置において、前記第１または第２の供給リールを駆動する供給側リール台、および前記第１または第２の巻取リールを駆動する巻取側リール台はいずれも、扁平型リールモータのステータと一体となったステータ基板と、扁平型リールモータのロータと一体となったリール台本体とで構成され、上端にリール駆動爪を取り付けた前記扁平型リールモータのリールシャフトは、ステータ基板およびリール台本体の中空部内を上下に移動可能で、作動部材により上昇または下降させることで、前記第１のテープカセットの供給リールまたは巻取リールに対応する高さと、前記第２のテープカセットの供給リールまたは巻取リールに対応する高さとを選択的に切り換え可能に構成したので、リール駆動爪の高さを第１のテープカセット（小カセット）に合わせて高くし、第２のテープカセット（大カセット）に合わせて低くすることができ、したがって装置全体の高さを抑えることができる。
【００１７】
また、第１のテープカセットの互換再生を維持しつつ、第２のテープカセットにデータを記録再生することができるため、ユーザは、１台の装置を所有するだけで、第１のテープカセットに記録した過去のデータを再生することができ、かつ、近年の膨大な情報量を有するコンピュータのデータを記録することができる。
【００１８】
具体的には、例えば、３．８ｍｍ幅のテープを使ったＤＤＳフォーマットのテープカセットを再生可能でありながら、８ｍｍ幅のテープを使ったもっと大容量の新規なフォーマットのテープカセットにデータを記録再生可能な装置が実現する。これは、既存のフォーマットと大容量化した新たなフォーマットのそれぞれに装置を用意あるいは維持することなく、スムーズにフォーマットの移行ができることを意味する。
【発明を実施するための最良の形態】
【００１９】
以下、本発明の磁気記録再生装置の概要について、添付図面を参照して説明する。図１及び図２は本発明の磁気記録再生装置の一実施形態を示す平面図、図３は本発明の磁気記録再生装置の動作を説明するためのフローチャート、図４及び図５は本発明の磁気記録再生装置で用いるリール台移動機構を示す平面図、図６は本発明の磁気記録再生装置における回転ドラムに対するテープの巻付角の一例を示す図、図７は本発明の磁気記録再生装置で用いるリードシフト機構を示す図、図８はリードシフト機構による作用を説明するための図、図９は本発明の磁気記録再生装置における回転ドラムとテープとの関係を平面的に示す図、図１０はテープの記録フォーマットを説明するための図、図１１は本発明の磁気記録再生装置で用いる記録再生回路の一例を示す回路図、図１２は本発明の磁気記録再生装置における回転ドラムのヘッド配置の一例を示す図、図１３及び図１４は本発明の磁気記録再生装置で用いる２種類のテープカセットの例を示す平面図である。
【００２０】
まず、図１３及び図１４を用いて、本発明の磁気記録再生装置で用いるテープカセットについて説明する。図１３は、テープ幅３．８ｍｍのテープカセット１であり、ＤＤＳフォーマットで用いるテープカセットを示している。図１３（Ａ）はテープカセット１をカセットマウス１ｍ側から見た平面図、図１３（Ｂ）はテープカセット１を表面より見た平面図である。テープカセット１の供給リール１ａと巻取リール１ｂとの間には、テープ幅３．８ｍｍの磁気テープ（以下、単にテープ）１ｔが張架されている。以下、ＤＤＳフォーマットで用いるテープカセットであるテープカセット１を幅狭テープカセット１と称することとする。
【００２１】
一方、図１４は、テープカセット１よりもテープ幅の広いテープカセットの一例であり、本実施形態では、一例として、テープ幅８ｍｍのテープカセット２を示している。図１４（Ａ）はテープカセット２をカセットマウス２ｍ側から見た平面図、図１４（Ｂ）はテープカセット２を表面より見た平面図である。テープカセット２の供給リール２ａと巻取リール２ｂとの間には、テープ幅８ｍｍの磁気テープ（以下、単にテープ）２ｔが張架されている。以下、本実施形態で新規フォーマットとして用いるテープカセットであるテープカセット２を幅広テープカセット２と称することとする。
【００２２】
本実施形態は、ＤＤＳフォーマットの幅狭テープカセット１の互換再生を確保すると共に、幅広テープカセット２に対して新規フォーマットでデータを記録再生することができるよう構成した磁気記録再生装置（データストレージ装置）である。以下、具体的な構成及び動作について説明する。
【００２３】
図３において、ステップＳ１にて、幅狭テープカセット１または幅広テープカセット２を載置するための図示していないトレイが、トレイの引出指令に伴って装置より引き出される。ステップＳ２にて、トレイに幅狭テープカセット１または幅広テープカセット２が載置され、ステップＳ３にて、トレイが装置内に引き込まれる。そして、ステップＳ４にて、載置されたカセットが幅狭テープカセット１と幅広テープカセット２のいずれであるかが図示しないセンサによって検出される。以上のステップＳ１〜Ｓ４までの動作は、全て公知の技術により実現できる。
【００２４】
ステップＳ４にて、載置されたカセットが幅広テープカセット２であることが検出されると、ステップＳ１１に移る。ステップＳ４にて、載置されたカセットが幅狭テープカセット１であることが検出されると、ステップＳ２１に移る。本実施形態では、載置されたカセットが幅狭テープカセット１であるか幅広テープカセット２であるかよって、磁気記録再生装置の構成部品の動作が異なる。
【００２５】
まず、載置されたカセットが幅広テープカセット２であるときの動作について詳細に説明する。図１は、本実施形態の磁気記録再生装置に幅広テープカセット２を装填した状態を示している。幅広テープカセット２は、メインデッキ１０と高さ方向に離間した状態で、図１の下方向から上方向へと移動し、幅広テープカセット２が図１に示す位置に至ると、メインデッキ１０方向に降下して、幅広テープカセット２が装置内部に装着された状態となる（図３のステップＳ１１）。
【００２６】
図１において、メインデッキ１０上には、幅狭テープカセット１及び幅広テープカセット２の供給リール１ａ，２ａと巻取リール１ｂ，２ｂを駆動するための供給側リール台１１ａと巻取側リール台１１ｂが設けられている。供給側リール台１１ａと巻取側リール台１１ｂとの中心間距離は、図１に示す初期状態（通常の状態）において、供給リール２ａと巻取リール２ｂとの中心間距離と同一となっている。従って、幅広テープカセット２が装置内部に装着されると、供給側リール台１１ａと巻取側リール台１１ｂはそれぞれ供給リール２ａと巻取リール２ｂに係合する。
【００２７】
後に詳述するが、供給側リール台１１ａと巻取側リール台１１ｂは、リール台ベース１２ａ，１２ｂ上に設けられている。ここでは図示していないが、リール台ベース１２ａ，１２ｂはサブデッキ５０（図４及び図５参照）に設けられ、サブデッキ５０はメインデッキ１０上に取り付けられている。リール台ベース１２ａ，１２ｂは支点１３を中心として連結されており、リール台ベース１２ａ，１２ｂはその支点を中心として開閉するよう構成されている。これにより、供給側リール台１１ａと巻取側リール台１１ｂの位置は変位自在となっている。
【００２８】
さらに、メインデッキ１０上には、幅狭テープカセット１または幅広テープカセット２のテープ１ｔ，２ｔを幅狭テープカセット１，幅広テープカセット２の外部へと引き出して、回転ドラム３０へと所定角度で巻き付けるローディング手段である複数個のガイドローラ２１〜２６と１つのピンチローラ２７が設けられている。ガイドローラ２１，２６はガイドローラアーム２１Ａ，２６Ａの先端に設けられているものであり、この２つのガイドローラ２１，２６は幅狭テープカセット１をローディングするため専用のガイドローラである。従って、図１に示す幅広テープカセット２を装填した状態で、ガイドローラアーム２１Ａ，２６Ａは初期位置にあり、テープ２ｔを引き出すものではない。
【００２９】
巻取リール２ｂ側のガイドローラ２４が、図示していない溝に沿って、幅広テープカセット２のカセットマウス２ｍ内から回転ドラム３０の出口側へと移動し（図３のステップＳ１２）、供給リール２ａ側のガイドローラ２２，２３も、図示していない溝に沿って、カセットマウス２ｍ内から回転ドラム３０の入口側へと移動する（図３のステップＳ１３）。そして、ガイドローラ２５とピンチローラ２７が、図示していない溝に沿って、カセットマウス２ｍ内から外部へと引き出され、ピンチローラ２７はキャプスタン４１に圧着する（図３のステップＳ１４）。なお、図３におけるステップＳ１２とステップＳ１４とを結ぶ破線は、両者が機構的に連動していることを示している。
【００３０】
以上のローディング動作により、カセットマウス２ｍ内から外部へと移動したガイドローラ２２〜２５及びピンチローラ２７と、メインデッキ１０上に設けられた固定のガイドローラ４２，４３，４８及びガイドピン４４〜４７によって、テープ２ｔの走行路が形成される。このとき、テープ２ｔは、図６（Ｂ）に示すように、回転ドラム３０に対して、略１８０°の角度で巻き付けられる。
【００３１】
また、テープ２ｔの上端部（幅方向の一方の端部）の位置規制は、回転ドラム３０の入口側，出口側に位置するガイドローラ２３，２４の上側フランジによって行われ、テープ２ｔの下端部（幅方向の他方の端部）の位置規制は、図８（Ｂ）に示すように、回転ドラム３０に連接した固定ドラム３１に形成した段差部であるリード３１ｂ１によって行われる。固定ドラム３１及びリード３１ｂ１の詳細については後述する。
【００３２】
次に、載置されたカセットが幅狭テープカセット１であるときの動作について詳細に説明する。図２は、本実施形態の磁気記録再生装置に幅狭テープカセット１を装填した状態を示している。図１３及び図１４より明らかなように、幅狭テープカセット１の供給リール１ａと巻取リール１ｂとの間隔は、幅広テープカセット２の供給リール２ａと巻取リール２ｂとの間隔よりも狭い。従って、幅狭テープカセット１を装填した場合には、上述した供給側リール台１１ａと巻取側リール台１１ｂとの間隔を幅狭テープカセット１の供給リール１ａと巻取リール１ｂとの間隔に合わせて変えることが必要となる。
【００３３】
図３に示すように、載置されたカセットが幅狭テープカセット１であると検出されると、ステップＳ２１にて、供給側リール台１１ａと巻取側リール台１１ｂが移動し、供給側リール台１１ａと巻取側リール台１１ｂとの間隔を切り換える。
【００３４】
図４及び図５を用いて、供給側リール台１１ａと巻取側リール台１１ｂの移動機構９０について説明する。図４は、供給側リール台１１ａと巻取側リール台１１ｂの初期位置、即ち、幅広テープカセット２を用いる場合の状態を示している。図４に示すように、供給側リール台１１ａと巻取側リール台１１ｂは、リール台ベース１２ａ，１２ｂ上に設けられている。リール台ベース１２ａ，１２ｂは支点１３にて連結されており、サブデッキ５０に取り付けられる。
【００３５】
リール台ベース１２ａ，１２ｂは、引っ張りばね１４によって互いに閉じる方向に力が加えられている。リール台ベース１２ａ，１２ｂには、電磁ソレノイド１５ａ，１５ｂによって供給側リール台１１ａ，巻取側リール台１１ｂに圧着または離間するブレーキ１６ａ，１６ｂが設けられている。供給側リール台１１ａ，巻取側リール台１１ｂや電磁ソレノイド１５ａ，１５ｂは、例えばフレキシブル基板（図示せず）を介してサブデッキ５０の裏面に設けられた駆動回路に接続されて駆動される。
【００３６】
ここでは理解を容易にするため、平面的に分離して図示しているが、リール台ベース１２ａ，１２ｂのピン１７ａ，１７ｂには、圧着レバー１８に取り付けたアーム１８ａ，１８ｂの孔１８ａ１，１８ｂ１が係合している。アーム１８ａ，１８ｂは支点１８ｃを中心として開閉自在となっている。圧着レバー１８のピン１８ｄは、ばね１８ｅの力によってスライドカム１９の一方の端面１９ａに押圧されている。スライドカム１９の端面１９ａには、凹部１９ａ１が形成されている。
【００３７】
さて、載置されたカセットが幅狭テープカセット１であると検出されると、図示していない制御手段によって、供給側リール台１１ａと巻取側リール台１１ｂの移動指令がなされる。すると、図４に示す位置にあるスライドカム１９が図の左方向へとスライドし、図５に示す位置に至る。このとき、圧着レバー１８のピン１８ｄは、端面１９ａに形成された凹部１９ａ１へと移動する。すると、圧着レバー１８のばね１８ｅによるスライドカム１９への押圧力が解放され、引っ張りばね１４の力によって、リール台ベース１２ａ，１２ｂはその角度が小さくなる。これに伴って、リール台ベース１２ａ，１２ｂとは逆のＶ字状のアーム１８ａ，１８ｂもその角度が小さくなり、アーム１８ａ，１８ｂの支点１８ｃは図の上方向に押し上げられる。
【００３８】
このようにして、スライドカム１９がスライドすることによって、リール台ベース１２ａ，１２ｂが互いの角度を小さくする方向に回動して、供給側リール台１１ａと巻取側リール台１１ｂの位置が移動する。図５に示す状態において、供給側リール台１１ａと巻取側リール台１１ｂとの中心間距離は、幅狭テープカセット１の供給リール１ａと巻取リール１ｂとの中心間距離と同一となり、供給側リール台１１ａと巻取側リール台１１ｂは、供給リール１ａと巻取リール１ｂにちょうど係合する位置となる。
【００３９】
以上のようにして、図３のステップＳ２１にて供給側リール台１１ａと巻取側リール台１１ｂが移動すると、幅狭テープカセット１は、メインデッキ１０とは高さ方向に離間した状態で、図２の下方向から上方向へと移動し、幅狭テープカセット１が図２に示す位置に至ると、メインデッキ１０方向に降下して、幅狭テープカセット１が装置内部に装着された状態となる（図３のステップＳ２２）。幅狭テープカセット１が装置内部に装着された状態で、供給側リール台１１ａと巻取側リール台１１ｂはそれぞれ供給リール１ａと巻取リール１２ｂに係合する。
【００４０】
幅狭テープカセット１が装置内部に装着されると、上述したガイドローラアーム２１Ａ，２６Ａが回動し、ガイドローラ２１，２６が幅狭テープカセット１のテープ１ｔを外部へと所定量引き出す（図３のステップＳ２３）。ガイドローラアーム２１Ａ，２６Ａは、図４及び図５に示すスライドカム１９の溝１９ｂ，１９ｃにそれぞれ係合しており、スライドカム１９が図４の状態から図５の状態に移行するのに伴って回動するようになっている。
【００４１】
また、幅狭テープカセット１が装置内部に装着されると、図３のステップＳ２１〜Ｓ２３の動作と並行して、固定ドラム３１に設けたリードシフト機構６０（図７参照）が動作するようになっている（ステップＳ３１）。リードシフト機構６０については、後に詳述する。リードシフト機構６０は、幅狭テープカセット１のテープ１ｔのローディング完了前にその動作を完了する。
【００４２】
次に、巻取リール２ｂ側のガイドローラ２４が、図示していない溝に沿って、幅狭テープカセット１のカセットマウス１ｍ内から回転ドラム３０の出口側へと移動（図３のステップＳ２４）する。幅狭テープカセット１を装填した場合には、図２に示すように、供給リール１ａ側のガイドローラ２２，２３は動作せず、テープ１ｔを引き出さない。即ち、ガイドローラ２２，２３は、幅広テープカセット２をローディングするため専用のガイドローラである。
【００４３】
そして、ガイドローラ２５とピンチローラ２７が、図示していない溝に沿って、カセットマウス１ｍ内から外部へと引き出され、ピンチローラ２７はキャプスタン４１に圧着する（図３のステップＳ２５）。なお、図３におけるステップＳ２１とステップＳ２３、ステップＳ２４とステップＳ２５は、機構的に連動している。
【００４４】
以上のローディング動作により、カセットマウス１ｍ内から外部へと移動したガイドローラ２１，２４〜２６及びピンチローラ２７と、メインデッキ１０上に設けられた固定のガイドローラ４２，４８及びガイドピン４５〜４７によって、テープ１ｔの走行路が形成される。このとき、テープ１ｔは、図６（Ａ）に示すように、回転ドラム３０に対して、略６８°の角度で巻き付けられる。
【００４５】
また、テープ１ｔの上端部（幅方向の一方の端部）の位置規制は、回転ドラム３０の入口側，出口側に位置するガイドローラ２１，２４の上側フランジによって行われる。ガイドローラ２１の上側フランジの高さ位置はガイドローラ２２の上側フランジの高さ位置と同じとなるように設定されているので、テープ１ｔの上端部はテープ２ｔの上端部と同じ高さ位置である。テープ１ｔの下端部（幅方向の他方の端部）の位置規制は、図８（Ａ）に示すように、回転ドラム３０に連結した固定ドラム３１に形成した段差部であるリード３１ｂ１によって行われる。
【００４６】
ここで、図７及び図８を用いて、固定ドラム３１のリード３１ｂ１を周方向に回動させて、テープ１ｔ，２ｔの下端部それぞれを位置規制するよう切り換えるリードシフト機構６０について説明する。リードシフト機構６０は、幅狭テープカセット１を装填した場合と、幅広テープカセット２を装填した場合とに合わせて、リード３１ｂ１がテープ１ｔの下端部を位置規制する位置と、リード３１ｂ１がテープ２ｔの下端部を位置規制する位置との間で、固定ドラム３１を回動させるようになっている。
【００４７】
図７において、（Ａ）は回転ドラム３０とその付属部品及びリードシフト機構６０を上面から見た平面図、（Ｂ）はその側面図、（Ｃ）は拡大断面図である。図７（Ａ）〜（Ｃ）に示すように、ドラムベース３２には、ギアドモータ３３，エンコーダギア３４，圧着ギア３５が搭載されている。ギアドモータ３３の回転駆動力がエンコーダギア３４，圧着ギア３５及びタイミングベルト３６を介して固定ドラム３１に伝達され、固定ドラム３１が所定角度回動するようになっている。ギアドモータ３３，エンコーダギア３４，圧着ギア３５，タイミングベルト３６がリードシフト機構６０を構成する。
【００４８】
図７（Ｃ）に示すように、固定ドラム３１は、回転ドラム３０の回転軸である固定シャフト３０ａを支持する底面部３１ａと、外周部３１ｂとよりなる。一般的な固定ドラムは、底面部と外周部とが一体となっているが、本実施形態では、固定ドラム３１の外周部３１ｂを回動させることができるよう、底面部３１ａと外周部３１ｂとが別体となっている。底面部３１ａと外周部３１ｂとの間には、ボールベアリング３１ｃが設けられている。回転ドラム３０と固定シャフト３０ａとの間には、ボールベアリング３０ｂが設けられている。図７（Ｃ）における３０ｃはステータコイル、３０ｄはロータマグネット、３０ｅはフライホール、Ｈは磁気ヘッドである。
【００４９】
図７（Ｂ）に示すように、固定ドラム３１の外周部３１ｂには、回転ドラム３０の外周面上の下端部からの距離が周方向の位置に応じて可変するよう曲線状にリード３１ｂ１が形成されている。リード３１ｂ１は、外周部３１ｂを周回している。固定ドラム３１（外周部３１ｂ）を所定角度回動させるためのギアドモータ３３の回転駆動力は、エンコーダギア３４及び圧着ギア３５を介してタイミングベルト３６に伝達され、タイミングベルト３６は固定ドラム３１を回動させる。
【００５０】
図７（Ｃ）に示すように、外周部３１ｂには、ストッパピン３１ｄが取り付けられており、ストッパピン３１ｄがドラムベース３２の所定位置に当接して、外周部３１ｂの回動が停止する。外周部３１ｂの回動が停止した後、圧着ギア３５がさらに外周部３１ｂを回動させようとするので、ストッパピン３１ｄはドラムベース３２に押し付けられ、外周部３１ｂは強固に位置決めされる。なお、外周部３１ｂが逆方向に回動したときも、全く同様な構成によって、外周部３１ｂは強固に位置決めされる。
【００５１】
このように、固定ドラム３１の外周部３１ｂを第１の位置と第２の位置との間で回動させることにより、外周部３１ｂに形成したリード３１ｂ１は、周方向に位置がシフトする。第１の位置を、幅狭テープカセット１を装填したときの位置、第２の位置を、幅広テープカセット２を装填したときの位置とする。図８（Ａ）に示すように、第１の位置において、リード３１ｂ１が幅狭テープカセット１のテープ１ｔの下端部を位置規制し、図８（Ｂ）に示すように、第２の位置において、リード３１ｂ１が幅広テープカセット２のテープ２ｔの下端部を位置規制するよう、リード３１ｂ１の形状及び周上の位置を設定しておく。
【００５２】
以上説明したリードシフト機構６０の構成及び動作によって、固定ドラム３１の外周部３１ｂに形成されているリード３１ｂ１は、図８（Ａ）の状態と図８（Ｂ）の状態との間で切り換えられ、幅狭テープカセット１と幅広テープカセット２のテープ１ｔ，テープ２ｔをローディングしたとき、テープ１ｔ，テープ２ｔそれぞれの下端部を位置規制することになる。
【００５３】
図９は、テープ１ｔ，テープ２ｔをローディングした状態における回転ドラム３０とテープ１ｔ，テープ２ｔとの関係を平面的に示している。図１０（Ａ），（Ｂ）は、それぞれ、テープ１ｔ，テープ２ｔの記録フォーマットである。図１０（Ａ）に示すように、テープ幅３．８ｍｍのテープ１ｔには、ハッチングで示す記録幅２．６ｍｍの部分にデータが記録されている。図１０（Ｂ）に示すように、テープ幅８ｍｍのテープ２ｔには、ハッチングで示す記録幅６．８ｍｍの部分にデータが記録される。
【００５４】
上述のように、また、図９に示すように、テープ１ｔ，テープ２ｔは、それぞれの上端部の位置が揃えられて、回転ドラム３０上を走行する。テープ２ｔは、回転ドラム３０に対して略１８０°の角度で巻き付けられ、有効巻付角θ２は１７５°である。テープ１ｔは、回転ドラム３０に対して略６８°の角度で巻き付けられ、有効巻付角θ１は６７．５°である。なお、有効巻付角とは、データの記録または再生に用いるテープの巻付角である。αは、リードシフト機構６０によるリード３１ｂ１のシフト角であり、１０７．５°である。
【００５５】
図９に示すＴｒ１−Ａ，Ｔｒ１−Ｂを端点とする１点鎖線は、幅狭テープカセット１のテープ１ｔに形成され、データ再生のための磁気ヘッドＨが走査するトラックＴｒ１を示している。図９に示すＴｒ２−Ａ，Ｔｒ２−Ｂを端点とする１点鎖線は、幅広テープカセット２を用いたとき、データ記録のための磁気ヘッドＨが走査してテープ２ｔに形成されるか、テープ２ｔに形成され、データ再生のための磁気ヘッドＨが走査するトラックＴｒ２である。
【００５６】
図１０（Ａ）に示すように、幅狭テープカセット１のテープ１ｔに形成されたトラックＴｒ１は、トラックピッチ６．７８７μｍ、トラック走行角６．３７４９２°である。以上が幅狭テープカセット１のＤＤＳフォーマットである。本発明ではこのフォーマットを実現するために、ドラム径４０ｍｍ、ドラム回転数７５００ｒｐｍ、ドラム有効巻付角６７．５°、テープスピード１５．２８７ｍｍ／ｓｅｃとした。
【００５７】
一方、図１０（Ｂ）に示すように、幅広テープカセット２のテープ２ｔに形成するトラックＴｒ２は、トラックピッチ３．０μｍ、トラック走行角６．２９９６３°である。これ以外は、トラック長６１．０４７ｍｍ、ドラム径４０ｍｍ、ドラム回転数７５００ｒｐｍ、ドラム有効巻付角１７５．０°、テープスピード６．８３５ｍｍ／ｓｅｃであり、以上が幅広テープカセット２を用いた場合の新フォーマットである。なお、幅広テープカセット２の新フォーマットは単なる一例であり、上記のものに限定されるものではない。
【００５８】
次に、図１１を用いて、幅狭テープカセット１や幅広テープカセット２に記録されたデータを再生するための再生回路、幅広テープカセット２にデータを記録するための記録回路について説明する。図１１（Ａ），（Ｂ）において、ＨＡ１，ＨＡ２，ＨＢ１，ＨＢ２は回転ドラム３０に設けられている磁気ヘッドである。図１２は、回転ドラム３０のヘッド配置を示している。図１２において、ＨＡ１，ＨＡ２はメタル・イン・ギャップ型ヘッド（ＭＩＧヘッド）であり、このヘッドＨＡ１，ＨＡ２は回転ドラム３０の周上で１８０°対向して配置されている。ヘッドＨＡ１，ＨＡ２は幅狭テープカセット１のデータを記録再生するため、及び、幅広テープカセット２にデータを記録あるいは再生するために用いられる。
【００５９】
また、ＨＢ１，ＨＢ２は磁気抵抗効果型ヘッド（ＭＲヘッド）であり、このヘッドＨＢ１，ＨＢ２は回転ドラム３０の周上で１８０°対向し、ヘッドＨＡ１，ＨＡ２とは９０°ずれた位置に配置されている。ヘッドＨＢ１，ＨＢ２は幅広テープカセット２に記録されたデータを再生するためにのみ用いられる。図７（Ｃ）に示すヘッドＨはヘッドＨＡ１，ＨＡ２またはヘッドＨＢ１，ＨＢ２のいずれかであり、図９に示すヘッドＨはヘッドＨＡ１，ＨＡ２，ＨＢ１，ＨＢ２のいずれかを示している。
【００６０】
上述の磁気ヘッドの構成は一例であり、ヘッドＨＡ１，ＨＡ２でカセット１及び２の記録再生を行ってもよい。
【００６１】
図１１（Ａ）は、幅狭テープカセット１（ＤＤＳフォーマット）の再生回路及び幅広テープカセット２（新フォーマット）の記録回路である。ヘッドＨＡ１，ＨＡ２で再生された信号はロータリトランス７１，７２を介してプリレコーディングアンプ７３に入力され、図示していない信号処理回路へと供給される。一方、図示していない信号処理回路から供給された記録すべき信号は、プリレコーディングアンプ７３を介してロータリトランス７１，７２に入力され、ロータリトランス７１，７２からヘッドＨＡ１，ＨＡ２へと供給される。なお、ロータリトランス７１，７２は、回転ドラム３０及び固定ドラム３１の内部に装着されるものである。
【００６２】
図１１（Ｂ）は、幅広テープカセット２（新フォーマット）の再生回路である。ヘッドＨＢ１，ＨＢ２はＭＲヘッドであるので、外部の電力源から再生回路に定電流を流して、電圧変化として再生信号を検出する必要がある。ヘッドＨＢ１，ＨＢ２の出力はスイッチ７４を介してアンプ７５に供給される。スイッチ７４はヘッドＨＢ１，ＨＢ２に交互に接続して、１チャンネルのシリアル信号として出力する。外部の電力源からの定電流は、ロータリトランス７８及び電流の逆流を防ぐためのダイオード素子７６を介してアンプ７５に供給される。アンプ７５の出力はロータリトランス７７を介してプリアンプ７９に供給される。
【００６３】
この構成によって、電圧変化として検出された再生信号は、プリアンプ７９に入力され、図示していない信号処理回路へと供給される。なお、ロータリトランス７７，７８は、回転ドラム３０及び固定ドラム３１の内部に装着されるものである。
【００６４】
以上のようにして、本発明においては、ＤＤＳフォーマットの幅狭テープカセット１の互換再生を維持しつつ、幅広テープカセット２に新フォーマットでデータを記録再生することが可能となる。本実施形態の構成においては、構成が簡略化されているので、装置のコストが大幅に上昇することはない。本発明は、以上説明した本実施形態に限定されるものではなく、本発明の要旨を逸脱しない範囲において種々変更可能である。
【００６５】
以上、本発明の磁気記録再生装置の概要について説明したが、以下に、本発明の磁気記録再生装置の要部について、添付図面を参照して説明する。図１５〜図１８はカセットハウジング全体の斜視図、図１９はカセットホルダの斜視図、図２０〜図２２はカセットホルダのテープカセット収容状態を示す図、図２３はカセットホルダのテープカセットを省略して示す図、図２４及び図２５はカセットハウジングのテープカセット挿入時の状態を示す図、図２６は駆動機構を示す図である。
【００６６】
本発明の磁気記録再生装置におけるカセットハウジング１００のフレーム構造やカセットホルダ１５０の駆動などの基本構造は、ＶＨＳテープや８ｍｍテープのカセットハウジングと同様のものである。そして、このような基本構造に加えて、カセットハウジング１００の前面に、フロントパネル１１０とは別にサブフロントパネル１２０が設けられ、サブフロントパネル１２０を支持する平行リンク１４１がカセットハウジング１００の左右両側に設けられたものである。
【００６７】
以下の説明では、幅狭テープカセット１をその具体的な一例としてＤＤＳカセット１と称し、また、幅広テープカセット２をその具体的な一例として８ｍｍカセット２と称することとする。
【００６８】
図１５〜図１８はカセットハウジング１００全体の斜視図であり、カセットハウジング１００の前面にはフロントパネル１１０が配置し、フロントパネル１１０には８ｍｍカセット２を挿入可能な大きさのカセット挿入口１１１が形成され、カセット挿入口１１１には、裏面側へ跳ね上げ式に開くドア１１２が設けられている。
【００６９】
フロントパネル１１０の内側には、サブフロントパネル１２０が、駆動機構１３０の平行リンク１４１に支持されて上下動可能に設けられている。サブフロントパネル１２０にはＤＤＳカセット１を挿入可能な大きさのカセット挿入口１２１が形成され、カセット挿入口１２１には、図示しないドア開閉機構により裏面側へ跳ね上げ式に開くドア１２２が設けられている。
【００７０】
サブフロントパネル１２０は、駆動機構１３０が平行リンク１４１を作動することで、フロントパネル１１０のカセット挿入口１１１に相当する高さの使用位置と、このカセット挿入口１１１から下方へ退避した退避位置との間を上下動可能に構成されている。
【００７１】
図１６に示すように、８ｍｍカセット挿入モードのときは、サブフロントパネル１２０は下降した退避位置にあり、カセット挿入口１１１のドア１１２は閉じていて、そのため、図１５に示すように、フロントパネル１１０のカセット挿入口１１１からは８ｍｍカセット２を支障なく挿入、排出できるようになっている。
【００７２】
一方、図１８に示すように、ＤＤＳカセット挿入モードのときは、サブフロントパネル１２０は上昇した使用位置にあり、このときカセット挿入口１１１のドア１１２はサブフロントパネル１２０の上に乗り上げて開いている。そして、図１７に示すように、サブフロントパネル１２０のカセット挿入口１２１がフロントパネル１１０のカセット挿入口１１１内に位置することで、このカセット挿入口１２１からＤＤＳカセット１を支障なく挿入、排出できるようになっている。
【００７３】
このようなＤＤＳカセット挿入モードと８ｍｍカセット挿入モードの切り換えは、フロントパネル１１０に設けられた選択スイッチを操作することで行う。すなわち、ＤＤＳモード選択スイッチ１２５を操作すると、駆動機構１３０が平行リンク１４１を作動してサブフロントパネル１２０を上昇させ、使用位置に位置決めする。一方、８ｍｍモード選択スイッチ１１５を操作すると、駆動機構１３０が平行リンク１４１を作動してサブフロントパネル１２０を下降させ、退避位置に位置決めする。
【００７４】
図１６に示すように、サブフロントパネル１２０は、左右両側の平行リンク１４１を構成するフロントアーム１４２，１４３の作動により、上下に平行に移動する。フロントアーム１４２，１４３は、フロントアームギヤ１４４の図示しないカムで駆動され、そのため、サブフロントパネル１２０の使用位置および退避位置は、フロントアームギヤ１４４のカム形状で決まる。但し、サブフロントパネル１２０の位置決め精度を上げるため、フロントアームギヤ１４４の停止位置は図示しないマイクロスイッチで検出する。
【００７５】
左右両側のフロントアーム１４２には、その前端を下向きに付勢するようにスプリング１４５が取り付けられている。このスプリング１４５の役割は、サブフロントパネル１２０が上昇した使用位置でガタつかないようにするためと、サブフロントパネル１２０が上昇する途中、フロントパネル１１０のカセット挿入口１１１から指が入れられたときケガしないためのリミッタである。
【００７６】
図１９（Ａ）はカセットホルダ１５０を斜め前方からみた斜視図、同図（Ｂ）はカセットホルダ１５０を斜め後方からみた斜視図である。カセットホルダ１５０は中央部が凸で左右両側が凹んだ形状のものであり、ＤＤＳカセット１の左右を位置決めするカセットガイド１６０と、ＤＤＳカセット１の上面を位置決めするガイドプレート１７０が設けられている。
【００７７】
また、カセットホルダ１５０には、８ｍｍカセット２挿入時にガイドプレート１７０が８ｍｍカセット２と当たらないように回転させるため、ドアセンサ１８０およびコネクトアーム１９０が設けられている。
【００７８】
図２０（Ａ）はＤＤＳカセット挿入モードにおいて、ＤＤＳカセット１がカセットホルダ１５０内に収まった状態を斜め前方からみた斜視図、同図（Ｂ）は背面図、図２１（Ａ）はＤＤＳカセット１がカセットホルダ１５０内に収まった状態の平面図、同図（Ｂ）はＤＤＳカセット挿入モード時におけるフロントパネル１１０のドア１１２の開放位置を示す斜視図である。
【００７９】
図２２（Ａ）は８ｍｍカセット挿入モードにおいて、８ｍｍカセット２がカセットホルダ１５０内に収まった状態をフロントパネル１１０のドア１１２の開放位置とともに示す斜視図、同図（Ｂ）は背面図、図２３（Ａ）は図２２（Ａ）から８ｍｍカセット２を省略した斜視図、同図（Ｂ）は背面図である。
【００８０】
カセットガイド１６０は、通常はスプリング１６１で持ち上げられていて、ＤＤＳカセット１の左右をガイドし、ＤＤＳカセット１をカセットホルダ１５０の左右の中央に合わせて位置決めする。ＤＤＳカセット１が挿入されたとき、ＤＤＳカセット１が多少左右にブレてカセットガイド１６０と当たっても、力が食い込み方向に働くので、カセットガイド１６０は下方へ逃げない。すなわち、カセットガイド１６０が、ＤＤＳカセット１挿入時の左右のガイドと位置決めを確実に行う。
【００８１】
カセットガイド１６０は、８ｍｍカセット２を挿入したときだけ、図２２（Ｂ）に示すように８ｍｍカセット２の下にもぐり込む。
【００８２】
ガイドプレート１７０は軸１７１を中心として、図１９〜図２１に示す直立位置と、図２２、図２３に示す横向き位置との間を約９０°回動可能に設けられている。ＤＤＳカセット１挿入時はガイドプレート１７０が直立しているので、仮にＤＤＳカセット１がガイドプレート１７０を後方や上方へ押しても回転しない。すなわち、直立位置にあるガイドプレート１７０が、ＤＤＳカセット１挿入時の上面のガイドと位置決めを確実に行う。
【００８３】
８ｍｍカセット２挿入時はガイドプレート１７０が約９０°回動して、８ｍｍカセット２の上に乗り上げる。すなわち、横向き位置にあるガイドプレート１７０が、８ｍｍカセット２挿入時の上面のガイドと位置決めを確実に行う。
【００８４】
図２１（Ｂ）に示すように、ＤＤＳカセット１挿入時は、サブフロントパネル１２０が使用位置にあって、フロントパネル１１０のカセット挿入口１１１のドア１１２はサブフロントパネル１２０の上に乗り上げて開いているが、このときのドア１１２の開き量（角度）は、図２２（Ａ）、図２３（Ａ）に示す８ｍｍカセット２挿入時のドア１１２の開き量（角度）に比べて少なくてよい。
【００８５】
その理由は、ＤＤＳカセット１は８ｍｍカセット２に比べて厚みがかなり薄く、しかも、図２０（Ｂ）、図２２（Ｂ）に示すように、ＤＤＳカセット１がカセットホルダ１５０内に収まったときの上面高さは、８ｍｍカセット２がカセットホルダ１５０内に収まったときの上面高さに比べてかなり低いため、サブフロントパネル１２０のドア１２２を開けるとき、フロントパネル１１０のドア１１２は、８ｍｍカセット２挿入時ほど大きく開いている必要がないからである。
【００８６】
図２２（Ａ）に示すように、８ｍｍカセット２挿入時にフロントパネル１１０のドア１１２が開くと、ドア１１２がドアセンサ１８０を押し上げて軸１７１のまわりに回転させる。ドアセンサ１８０のこの回転量が、ドアセンサ１８０と互いにギヤで噛み合うコネクトアーム１９０で拡大され、ガイドプレート１７０を約９０°回動させるのである。
【００８７】
一方、図２１（Ｂ）に示すように、ＤＤＳカセット１挿入時には、フロントパネル１１０のドア１１２はＤＤＳカセット挿入に必要な高さまでしか開いていないから、ドアセンサ１８０に接触することがなく、そのため、ガイドプレート１７０は直立位置に保たれる。
【００８８】
図２４（Ａ）は８ｍｍカセット挿入モードでＤＤＳカセット１を挿入したときの斜め前方からみた斜視図、同図（Ｂ）は背面図、図２５（Ａ）は８ｍｍカセット挿入モードで８ｍｍカセット２を挿入したときの斜め前方からみた斜視図、同図（Ｂ）は背面図である。
【００８９】
ＤＤＳカセット挿入モードでは、８ｍｍカセット２がサブフロントパネル１２０のカセット挿入口１２１より大きいので誤挿入される虞れはないが、８ｍｍカセット挿入モードでＤＤＳカセット１が誤挿入されることはありうるので、このような誤挿入を防止する必要がある。
【００９０】
図２４（Ａ），（Ｂ）に示すように、カセットハウジング１００のトップフレーム２００の左右両側に配置した前後に延びるシャフト２０１にはストッパプレート２１０が取り付けられている。このストッパプレート２１０はスプリング２１５で下方に引っ張られ、シャフト２０１を回転軸にして下向きに傾斜している。
【００９１】
ＤＤＳカセット１を挿入すると、ストッパプレート２１０の前縁は斜め形状（カセットの挿入方向と直交する水平方向に対して挿入方向奥側に向かう方向で下向きに傾斜した形状）になっているので、この前縁斜め形状部分２１１がＤＤＳカセット１と擦れながらＤＤＳカセット１の上に乗るが、ストッパプレート２１０は途中からストレート形状（カセットの挿入方向と直交する形状）になっているので、ＤＤＳカセット１が所定位置に達する前にこのストレート形状部分２１２に突当たり、ＤＤＳカセット１の誤挿入を防止する。
【００９２】
これに対し、８ｍｍカセット２はＤＤＳカセット１に比べて厚みが厚いため、図２５（Ａ），（Ｂ）に示すように、ストッパプレート２１０の前縁斜め形状部分２１１が８ｍｍカセット２に乗り上げたとき、ＤＤＳカセット１の場合に比べてより高い位置まで押し上げられる。そのため、ストッパプレート２１０のストレート形状部分２１２と８ｍｍカセット２との当たり量は少ない。しかも、８ｍｍカセット２の蓋には面取りがあり、ストッパプレート２１０の前縁斜め形状部分２１１が８ｍｍカセット２に乗り上げたときのストレート形状部分２１２と８ｍｍカセット２との引っ掛かりが、８ｍｍカセット２の蓋の面取りよりも小さくなるように設計してある。そのため、ストッパプレート２１０のストレート形状部分２１２が８ｍｍカセット２と突当たることはなく、８ｍｍカセット２は支障なく所定位置まで挿入することができる。
【００９３】
なお、ＤＤＳカセット挿入モードでは、図示してないが、サブフロントパネル１２０を上昇させるときにフロントアーム１４２がストッパプレート２１０を上に持ち上げることでストッパプレート２１０は水平になっているため、ＤＤＳカセット１は支障なく挿入することができる。
【００９４】
このカセットハウジング１００では、駆動機構１３０（図１６参照）が、カセットホルダ１５０の駆動とサブフロントパネル１２０の駆動とを同一のモータ１３１で駆動するので、伝達切り換え機構が必要である。
【００９５】
図２６（Ａ）は、カセットホルダ１５０を駆動する場合の駆動機構１３０の平面図、同図（Ｂ）は、サブフロントパネル１２０を駆動する場合の駆動機構１３０の平面図、同図（Ｃ）は駆動機構１３０の側面図である。
【００９６】
図２６（Ａ），（Ｃ）に示すように、カセットホルダ１５０を駆動する場合、駆動機構１３０は、モータ１３１の駆動力が、モータ１３１の回転軸に装着されたウォームギヤ１３２、ヘリカルギヤ１３３、コネクトギヤ１３４、スライドギヤ１３５を介してメインギヤ１３６に伝えられ、メインギヤ１３６が図示しないドライブアームを作動してカセットホルダ１５０を駆動させる。
【００９７】
コネクトギヤ１３４の軸はスプラインになっていて、このスプライン軸にスライドギヤ１３５がスライド可能に装着されている。そして、スライドギヤ１３５とスプライン軸先端のスリットワッシャ１３７との間には、図示しない圧縮スプリングが配置され、そのため通常は、スライドギヤ１３５は圧縮スプリングに押されて図２６（Ａ）に示す位置にあり、メインギヤ１３６と噛み合っている。
【００９８】
フロントパネル１１０にあるＤＤＳモード選択スイッチ１２５または８ｍｍモード選択スイッチ１１５を操作すると、サブフロントパネル１２０を移動させるため、まずメカ側が駆動切り換えモードに変わる。メカ側の駆動切り換えモードは、図示しないコントロールプレート（メカ側の部品）だけ位置が変わるモードであり、コントロールプレートが動くことで、チェンジレバー１４０を図２６（Ａ）の位置から図２６（Ｂ）の位置へ動かす。
【００９９】
図２６（Ｂ）に示すように、チェンジレバー１４０がスライドギヤ１３５をフロントアームギヤ１４４と噛み合う位置に動かすことで、駆動が切り換わる。すなわち、駆動機構１３０は、モータ１３１の駆動力が、ウォームギヤ１３２、ヘリカルギヤ１３３、コネクトギヤ１３４、スライドギヤ１３５を介してフロントアームギヤ１４４に伝えられ、フロントアームギヤ１４４のカムがサブフロントパネル１２０を上昇または下降させる。なお、図２６（Ｂ）ではメインギヤ１３６の図示を省略してある。
【０１００】
この動作が完了すると、メカ側が駆動切り換えモードからカセット挿入モードに切り換わり、コントロールプレートが元の位置に戻ってスライドギヤ１３５が圧縮スプリングに押されてメインギヤ１３６と噛み合う。
【実施例】
【０１０１】
以下に、リール台の実施例について、図２７、図２８を参照して説明する。なお、図４、図５で示したリール間隔の切り換えについては、その構成を実施例としてあらためて図示することを省略する。図２７は８ｍｍカセット２の装着状態を示す断面図、図２８はＤＤＳカセット１の装着状態を示す断面図である。
【０１０２】
図２７、図２８に示すリール台３００は、供給側リール台および巻取側リール台に共通のものである。このリール台３００は、メカ基板３４０に支軸３４１により揺動可能に枢着されたステータ基板３１０を備え、このステータ基板３１０は、図２７、図２８には図示しない移動機構の作動によって、供給側リール台（すなわちリール台３００）と巻取側リール台（すなわちリール台３００）とのリール間隔が、８ｍｍカセット２のリール間隔をなす状態と、ＤＤＳカセット１のリール間隔をなす状態とを切り換えるように構成されている（図４、図５参照）。
【０１０３】
リール台３００は、テープカセットのリールを直接駆動する扁平型リールモータ３０１のステータ３１１と一体となったステータ基板３１０と、扁平型リールモータ３０１のロータ３２１と一体となったリール台本体３２０とで構成される。
【０１０４】
ステータ基板３１０には、ステータ３１１の中心部に形成した貫通孔に所定長さの中空軸部材３１２が固定されている。この中空軸部材３１２の外周に、ボールベアリング３１３を介して、中空状のリール台本体３２０が回転自在に取り付けられている。リール台本体３２０の周囲にはステータ３１１に対向してロータ３２１が固定され、また、リール台本体３２０の上方中空部３２２内にはスプラインが形成されている。
【０１０５】
ステータ基板３１０の中空軸部材３１２およびリール台本体３２０の中空部３２２内には、扁平型リールモータ３０１のリールシャフト３３１が貫通して上下に移動可能に収容されている。リールシャフト３３１の上端には、リール台本体３２０の中空部３２２のスプラインと嵌合するスプラインが形成されたリール保持部材３３２が固定されている。このリール保持部材３３２は、リール駆動爪３３３のストッパとなるものである。
【０１０６】
リール保持部材３３２と、リール台本体３２０との間にはコイルスプリング３３５が配置され、このコイルスプリング３３５のばね力によって、リールシャフト３３１は上向きに付勢されている。
【０１０７】
また、リールシャフト３３１下端のスリットワッシャ３３４と、ステータ基板３１０の中空軸部材３１２との間にはコイルスプリング３１５が配置され、このコイルスプリング３１５のばね力によって、リールシャフト３３１は下向きに付勢されている。
【０１０８】
コイルスプリング３３５による上向き付勢力に比べて、コイルスプリング３１５による下向き付勢力の方が大きく設定されている。
【０１０９】
メカ基板３４０の下面には、スライドレバー３４２と、スライドレバー３４２を上昇位置と下降位置との間を作動させるスライドカム３４５と、スライドカム３４５を駆動する駆動ギヤ３４６とが設けられている。
【０１１０】
８ｍｍカセット２を装着するときは、図２７に示すように、駆動ギヤ３４６がスライドカム３４５を駆動してスライドレバー３４２を下降位置に位置決めする。すると、リールシャフト３３１は、コイルスプリング３３５による上向き付勢力より大きいコイルスプリング３１５による下向き付勢力によって、リール保持部材３３２の下端がリール台本体３２０に当接する下端位置に位置決め保持される。そのため、このときリール駆動爪３３３は、８ｍｍカセット２用の高さの高いリールハブ２ｈの下方に潜るように嵌合する。
【０１１１】
一方、ＤＤＳカセット１を装着するときは、図２８に示すように、駆動ギヤ３４６がスライドカム３４５を駆動してスライドレバー３４２を上昇位置に位置決めする。この上昇位置は、スライドレバー３４２の位置決め突起３４３がメカ基板３４０の下面に当接することで決まる。スライドレバー３４２が上昇位置に位置決めされることで、コイルスプリング３１５は圧縮され、リールシャフト３３１は上端位置に位置決め保持される。そのため、このときリール駆動爪３３３は、ＤＤＳカセット１用の高さの低いリールハブ１ｈと嵌合する。
【０１１２】
このように、８ｍｍカセット２を装着するときは、リールシャフト３３１が下端位置に位置決め保持され、一方、ＤＤＳカセット１を装着するときは、リールシャフト３３１が上端位置に位置決め保持される。しかも、リールシャフト３３１が下端位置に位置決め保持されたとき、そのリール駆動爪３３３と嵌合して装着された８ｍｍカセット２のテープ上面高さ（Ｈ）と、リールシャフト３３１が上端位置に位置決め保持されたとき、そのリール駆動爪３３３と嵌合して装着されたＤＤＳカセット１のテープ上面高さ（Ｈ）とが同一高さとなるように、リールシャフト３３１の下端位置および上端位置が設定してある。
【０１１３】
上述したように、カセットを外部から搬送して所定位置に装着する際には、リール駆動爪３３３を下降させたときの高さＨ２を越えるようにすればよいので、装置の高さを低く抑えることができる。
【図面の簡単な説明】
【０１１４】
【図１】本発明の一実施形態を示す平面図である。
【図２】本発明の一実施形態を示す平面図である。
【図３】本発明の動作を説明するためのフローチャートである。
【図４】本発明で用いるリール台移動機構を示す平面図である。
【図５】本発明で用いるリール台移動機構を示す平面図である。
【図６】本発明における回転ドラムに対するテープの巻付角の一例を示す図である。
【図７】本発明で用いるリードシフト機構を示す図である。
【図８】リードシフト機構による作用を説明するための図である。
【図９】本発明における回転ドラムとテープとの関係を平面的に示す図である。
【図１０】テープの記録フォーマットを説明するための図である。
【図１１】本発明で用いる記録再生回路の一例を示す回路図である。
【図１２】本発明における回転ドラムのヘッド配置の一例を示す図である。
【図１３】本発明で用いる１種類のテープカセットの例を示す平面図である。
【図１４】本発明で用いる別の種類のテープカセットの例を示す平面図である。
【図１５】カセットハウジング全体の斜視図である。
【図１６】カセットハウジング全体の斜視図である。
【図１７】カセットハウジング全体の斜視図である。
【図１８】カセットハウジング全体の斜視図である。
【図１９】カセットホルダの斜視図である。
【図２０】カセットホルダのテープカセット収容状態を示す図である。
【図２１】カセットホルダのテープカセット収容状態を示す図である。
【図２２】カセットホルダのテープカセット収容状態を示す図である。
【図２３】カセットホルダのテープカセットを省略して示す図である。
【図２４】カセットハウジングのテープカセット挿入時の状態を示す図である。
【図２５】カセットハウジングのテープカセット挿入時の状態を示す図である。
【図２６】駆動機構を示す図である。
【図２７】リール台の実施例を示す断面図である。
【図２８】リール台の実施例を示す断面図である。
【符号の説明】
【０１１５】
１  幅狭テープカセット
１ｔ，２ｔ  磁気テープ
１ａ，２ａ  供給リール
１ｂ，２ｂ  巻取リール
１ｍ，２ｍ  カセットマウス
２  幅広テープカセット
１１ａ  供給側リール台
１１ｂ  巻取側リール台
１２ａ，１２ｂ  リール台ベース
１８  圧着レバー
１９  スライドカム
２１〜２６  ガイドローラ（ローディング手段）
２７  ピンチローラ（ローディング手段）
３０  回転ドラム
３１  固定ドラム
３１ａ  底面部
３１ｂ  外周部
３１ｂ１  リード
６０  リードシフト機構
７１，７２，７７，７８  ロータリトランス
７３  プリレコーディングアンプ
７４  スイッチ
７５  アンプ
７６  ダイオード素子
７９  プリアンプ
９０  リール台移動機構
１００  カセットハウジング
１１０  フロントパネル
１２０  サブフロントパネル
１３０  駆動機構
１４１  平行リンク
１５０  カセットホルダ
１６０  カセットガイド
１７０  ガイドプレート
２１０  ストッパプレート
３００  リール台
３０１  扁平型リールモータ
３１０  ステータ基板
３２０  リール台本体
３３１  リールシャフト
Ｈ，ＨＡ１，ＨＡ２，ＨＢ１，ＨＢ２  磁気ヘッド
【図１】
2005044483.tif 000003
【図２】
2005044483.tif 000004
【図３】
2005044483.tif 000005
【図４】
2005044483.tif 000006
【図５】
2005044483.tif 000007
【図６】
2005044483.tif 000008
【図７】
2005044483.tif 000009
【図８】
2005044483.tif 000010
【図９】
2005044483.tif 000011
【図１０】
2005044483.tif 000012
【図１１】
2005044483.tif 000013
【図１２】
2005044483.tif 000014
【図１３】
2005044483.tif 000015
【図１４】
2005044483.tif 000016
【図１５】
2005044483.tif 000017
【図１６】
2005044483.tif 000018
【図１７】
2005044483.tif 000019
【図１８】
2005044483.tif 000020
【図１９】
2005044483.tif 000021
【図２０】
2005044483.tif 000022
【図２１】
2005044483.tif 000023
【図２２】
2005044483.tif 000024
【図２３】
2005044483.tif 000025
【図２４】
2005044483.tif 000026
【図２５】
2005044483.tif 000027
【図２６】
2005044483.tif 000028
【図２７】
2005044483.tif 000029
【図２８】
2005044483.tif 000030